(57)【要約】  論理的オーバーライトの可能な追記型情報記録媒体に／からデータを記録／再生する記録／再生装置は、一つ以上のボーダとして使われる前記媒体に／からデータを書込み／読出しする書込み／読出し部と、各ボーダが閉じられるとき、各ボーダに関する最終的な情報を前記媒体のリードイン領域に設けられたボーダクロージング領域または前記ボーダのためのボーダゾーンのボーダイン領域または前記ボーダゾーンのボーダアウト領域のうち少なくとも一つに記録するように前記書込み／読出し部を制御する制御部と、を備える記録／再生装置である。本発明によれば、論理的オーバーライトを具現することにより、必要なＲＰＬ及び記録管理のためのＲＭＤ情報を円滑かつ効率的な媒体使用のための方向に管理可能になる。
2008533646.tif 000002
【特許請求の範囲】
【請求項１】
論理的オーバーライトの可能な追記型情報記録媒体において、
前記媒体は、一つ以上のボーダとして使われ、各ボーダが閉じられる時の最終的な情報を記録するためのボーダクロージング領域が前記媒体に設けられたリードイン領域または前記ボーダのためのボーダゾーンのボーダイン領域または前記ボーダゾーンのボーダアウト領域のうち少なくとも一つに設けられることを特徴とする情報記録媒体。
【請求項２】
前記最終的な情報は、前記ボーダを閉じる時点の最終的な記録管理データまたは前記論理的オーバーライトによる代替に関する情報を有する代替リストのうち、最終的な代替リストのうち少なくとも一つのコピーを表すことを特徴とする請求項１に記載の追記型情報記録媒体。
【請求項３】
前記コピーは、前記ボーダクロージング領域に複数回反復して記録されることを特徴とする請求項２に記載の追記型情報記録媒体。
【請求項４】
前記最終的な記録管理データは、前記最終的な代替リストのコピーの記録された位置情報を含むことを特徴とする請求項２に記載の追記型情報記録媒体。
【請求項５】
論理的オーバーライトの可能な追記型情報記録媒体に／からデータを記録／再生する記録／再生装置において、
一つ以上のボーダとして使われる前記媒体に／からデータを記録／再生する書込み／読出し部と、
各ボーダが閉じられるとき、各ボーダに関する最終的な情報を前記媒体のリードイン領域に設けられたボーダクロージング領域または前記ボーダのためのボーダゾーンのボーダイン領域または前記ボーダゾーンのボーダアウト領域のうち少なくとも一つに記録するように前記書込み／読出し部を制御する制御部と、を備えることを特徴とする記録／再生装置。
【請求項６】
前記制御部は、
前記最終的な情報として、前記ボーダを閉じる時点の最終的な記録管理データまたは前記論理的オーバーライトによる代替に関する情報を有する代替リストのうち、最終的な代替リストのうち少なくとも一つのコピーを記録するように前記書込み／読出し部を制御することを特徴とする請求項５に記載の記録／再生装置。
【請求項７】
前記制御部は、前記コピーを複数回反復して記録するように前記書込み／読出し部を制御することを特徴とする請求項６に記載の記録／再生装置。
【請求項８】
前記最終的な記録管理データは、前記最終的な代替リストのコピーの記録された位置情報を含むことを特徴とする請求項６に記載の記録／再生装置。
【請求項９】
前記制御部は、
各ボーダに関する最終的な情報を前記媒体のリードイン領域に設けられたボーダクロージング領域または前記ボーダのためのボーダゾーンのボーダイン領域または前記ボーダゾーンのボーダアウト領域のうち少なくとも一つから読み取るように前記書込み／読出し部を制御し、
前記読み取られた最終的な情報を参照して、各ボーダに記録されたデータの再生を制御することを特徴とする請求項６に記載の記録／再生装置。
【請求項１０】
論理的オーバーライトの可能な追記型情報記録媒体に／からデータを記録／再生する記録／再生方法において、
一つ以上のボーダとして使われる前記媒体で、各ボーダが閉じられるとき、各ボーダに関する最終的な情報を前記媒体のリードイン領域に設けられたボーダクロージング領域または前記ボーダのためのボーダゾーンのボーダイン領域または前記ボーダゾーンのボーダアウト領域のうち少なくとも一つに記録するステップを含むことを特徴とする記録／再生方法。
【請求項１１】
前記記録ステップは、
前記最終的な情報として、前記ボーダを閉じる時点の最終的な記録管理データまたは前記論理的オーバーライトによる代替に関する情報を有する代替リストのうち、最終的な代替リストのうち少なくとも一つのコピーを記録するステップを含むことを特徴とする請求項１０に記載の記録／再生方法。
【請求項１２】
前記記録ステップは、
前記コピーを複数回反復して記録するステップを含むことを特徴とする請求項１０に記載の記録／再生方法。
【請求項１３】
前記最終的な記録管理データは、前記最終的な代替リストのコピーの記録された位置情報を含むことを特徴とする請求項１１に記載の記録／再生方法。
【請求項１４】
各ボーダに関する最終的な情報を、前記媒体のリードイン領域に設けられたボーダクロージング領域または前記ボーダのためのボーダゾーンのボーダイン領域または前記ボーダゾーンのボーダアウト領域のうち少なくとも一つから読み取るステップと、
前記読み取られた最終的な情報を参照して、各ボーダに記録されたデータを再生するステップと、をさらに含むことを特徴とする請求項１０に記載の記録／再生方法。
【請求項１５】
追記型情報記録媒体において、
リードイン領域と、
少なくとも一つのボーダと、
前記リードイン領域のボーダクロージング領域と、
第１ボーダ及び前記第１ボーダに連続するボーダのボーダアウト領域と、
前記第１ボーダに連続するボーダのボーダイン領域と、
関連したボーダを閉じるとき、最後のボーダ情報を記録するために記録／再生装置によって利用される少なくとも一つの最後のボーダ情報領域であって、前記最後のボーダ情報領域は、前記媒体に前記記録／再生装置によって行われた論理的オーバーライトに関する情報を含む最後のボーダ情報領域と、を備え、
前記第１ボーダに対する最後のボーダ情報領域は、前記リードイン領域のボーダクロージング領域及び／または前記第１ボーダの前記ボーダアウト領域に提供され、
前記第１ボーダに連続するボーダに対する最後のボーダ情報領域は、前記第１ボーダに連続するボーダの前記ボーダイン領域及び／または前記第１ボーダに連続するボーダの前記ボーダアウト領域に提供されることを特徴とする追記型情報記録媒体。
【請求項１６】
前記第１ボーダに連続するボーダがない場合、前記媒体は、シングルボーダ媒体であることを特徴とする請求項１５に記載の追記型情報記録媒体。
【請求項１７】
前記第１ボーダに連続する少なくとも一つのボーダがある場合、前記媒体は、マルチボーダ媒体であることを特徴とする請求項１５に記載の追記型情報記録媒体。
【請求項１８】
前記最後のボーダ情報は、前記関連したボーダを閉じる時の最後の記録管理データの少なくとも一つのコピー及び／または前記関連したボーダを閉じる時の最後の代替リストの少なくとも一つのコピーを含み、前記最後の代替リストは、前記関連したボーダを閉じるまで前記記録／再生装置によって行われた論理的オーバーライトによるデータ代替に関する情報を含むことを特徴とする請求項１５に記載の追記型情報記録媒体。
【請求項１９】
前記最後のボーダ情報は、前記最後の記録管理データの複数のコピー及び／または前記最後の代替リストの複数のコピーを含むことを特徴とする請求項１８に記載の追記型情報記録媒体。
【請求項２０】
前記最後の記録管理データは、前記最後の代替リストのコピーの位置情報を含むことを特徴とする請求項１８に記載の追記型情報記録媒体。
【請求項２１】
前記最後の代替リストは、前記関連ボーダを閉じるまで前記媒体に前記記録／再生装置によって行われた欠陥データの代替に関する欠陥情報をさらに含むことを特徴とする請求項１８に記載の追記型情報記録媒体。
【請求項２２】
リードイン領域を備える追記型情報記録媒体に／からデータを記録／再生する記録／再生装置において、
前記媒体に／からデータを書込み／読出しする書込み／読出し部と、
少なくとも一つのボーダ、前記リードイン領域のボーダクロージング領域、第１ボーダ及び前記第１ボーダに連続するボーダのボーダアウト領域、前記第１ボーダに連続するボーダのボーダイン領域をさらに備える前記媒体にデータを記録するように前記書込み／読出し部を制御し、前記媒体に論理的オーバーライトを行うように前記書込み／読出し部を制御し、関連したボーダを閉じるとき、前記書込み／読出し部によって行われた論理的オーバーライトに関する情報を含む最後のボーダ情報を少なくとも一つの最後のボーダ情報領域に記録するように前記書込み／読出し部を制御する制御部と、を備え、
前記第１ボーダに対する最後のボーダ情報領域は、前記リードイン領域のボーダクロージング領域及び／または前記第１ボーダの前記ボーダアウト領域に提供され、
前記第１ボーダに連続するボーダに対する最後のボーダ情報領域は、前記第１ボーダに連続するボーダの前記ボーダイン領域及び／または前記第１ボーダに連続するボーダの前記ボーダアウト領域に提供されることを特徴とする記録／再生装置。
【請求項２３】
前記制御部は、前記第１ボーダに連続するボーダがないように、前記媒体にデータを記録するように前記書込み／読出し部を制御し、前記媒体は、シングルボーダ媒体となることを特徴とする請求項２２に記載の記録／再生装置。
【請求項２４】
前記制御部は、前記第１ボーダに連続する少なくとも一つのボーダがあるように、前記媒体にデータを記録するように前記書込み／読出し部を制御し、前記媒体は、マルチボーダ媒体となることを特徴とする請求項２２に記載の記録／再生装置。
【請求項２５】
前記制御部は、前記最後のボーダ情報として前記関連したボーダを閉じる時の最後の記録管理データの少なくとも一つのコピー及び／または前記関連したボーダを閉じる時の最後の代替リストの少なくとも一つのコピーを記録するように前記書込み／読出し部をさらに制御し、前記最後の代替リストは、前記関連したボーダを閉じるまで前記記録／再生装置によって行われた論理的オーバーライトによるデータ代替に関する情報を含むことを特徴とする請求項２２に記載の記録／再生装置。
【請求項２６】
前記制御部は、前記最後のボーダ情報として、前記最後の記録管理データの複数のコピー及び／または前記最後の代替リストの複数のコピーを記録するように前記書込み／読出し部を制御することを特徴とする請求項２５に記載の記録／再生装置。
【請求項２７】
前記最後の記録管理データは、前記最後の代替リストのコピーの位置情報を含むことを特徴とする請求項２５に記載の記録／再生装置。
【請求項２８】
前記制御部は、前記媒体の欠陥データの代替を行うように前記書込み／読出し部をさらに制御し、前記最後の代替リストは、前記関連ボーダを閉じるまで前記媒体に前記書込み／読出し部によって行われた欠陥データの代替に関する欠陥情報をさらに含むことを特徴とする請求項２５に記載の記録／再生装置。
【請求項２９】
前記制御部は、前記第１ボーダ及び前記第１ボーダに連続するボーダに関する前記最後のボーダ情報領域から前記最後のボーダ情報を読み取るように前記書込み／読出し部をさらに制御し、前記書込み／読出し部によって読み取られた前記最後のボーダ情報を参照して、前記第１ボーダ及び前記第１ボーダに連続するボーダからデータを再生するように前記書込み／読出し部を制御することを特徴とする請求項２５に記載の記録／再生装置。
【請求項３０】
リードイン領域を備える追記型情報記録媒体に／からデータを記録／再生する記録／再生方法において、
少なくとも一つのボーダ、前記リードイン領域のボーダクロージング領域、第１ボーダ及び前記第１ボーダに連続するボーダのボーダアウト領域、前記第１ボーダに連続するボーダのボーダイン領域をさらに備える前記媒体にデータを記録するステップと、
前記媒体に論理的オーバーライトを行うステップと、
関連したボーダを閉じるとき、前記書込み／読出し部によって行われた論理的オーバーライトに関する情報を含む最後のボーダ情報を少なくとも一つの最後のボーダ情報領域に記録するステップと、を含み、
前記第１ボーダに対する最後のボーダ情報領域は、前記リードイン領域のボーダクロージング領域及び／または前記第１ボーダの前記ボーダアウト領域に提供され、
前記第１ボーダに連続するボーダに対する最後のボーダ情報領域は、前記第１ボーダに連続するボーダの前記ボーダイン領域及び／または前記第１ボーダに連続するボーダの前記ボーダアウト領域に提供されることを特徴とする記録／再生方法。
【請求項３１】
前記媒体にデータを記録するステップは、前記第１ボーダに連続するボーダがないように、前記媒体にデータを記録するステップを含み、前記媒体は、シングルボーダ媒体となることを特徴とする請求項３０に記載の記録／再生方法。
【請求項３２】
前記媒体にデータを記録するステップは、前記第１ボーダに連続する少なくとも一つのボーダがあるように、前記媒体にデータを記録するステップを含み、前記媒体は、マルチボーダ媒体となることを特徴とする請求項３０に記載の記録／再生方法。
【請求項３３】
前記最後のボーダ情報を記録するステップは、前記最後のボーダ情報として前記関連したボーダを閉じる時の最後の記録管理データの少なくとも一つのコピー及び／または前記関連したボーダを閉じる時の最後の代替リストの少なくとも一つのコピーを記録するステップを含み、前記最後の代替リストは、前記関連したボーダを閉じるまで前記記録／再生装置によって行われた論理的オーバーライトによるデータ代替に関する情報を含むことを特徴とする請求項３０に記載の記録／再生方法。
【請求項３４】
前記最後のボーダ情報を記録するステップは、前記最後の記録管理データの複数のコピー及び／または前記最後の代替リストの複数のコピーを記録するステップを含むことを特徴とする請求項３３に記載の記録／再生方法。
【請求項３５】
前記最後の記録管理データは、前記最後の代替リストのコピーの位置情報を含むことを特徴とする請求項３３に記載の記録／再生方法。
【請求項３６】
前記媒体の欠陥データの代替を行うステップをさらに含み、
前記最後の代替リストは、前記関連ボーダを閉じるまで前記媒体に前記書込み／読出し部によって行われた欠陥データの代替に関する欠陥情報をさらに含むことを特徴とする請求項３３に記載の記録／再生方法。
【請求項３７】
前記第１ボーダ及び前記第１ボーダに連続するボーダに関する前記最後のボーダ情報領域から前記最後のボーダ情報を読み取るステップと、
前記読み取られた前記最後のボーダ情報を参照して、前記第１ボーダ及び前記第１ボーダに連続するボーダからデータを再生するステップと、をさらに含むことを特徴とする請求項３３に記載の記録／再生方法。
【請求項３８】
リードイン領域を備える追記型情報記録媒体に／からデータを記録／再生する、コンピュータによって行われる記録／再生方法を具現するための処理命令語でエンコーディングされたコンピュータ判読可能媒体において、前記方法は、
少なくとも一つのボーダ、前記リードイン領域のボーダクロージング領域、第１ボーダ及び前記第１ボーダに連続するボーダのボーダアウト領域、前記第１ボーダに連続するボーダのボーダイン領域をさらに備える前記媒体にデータを記録するステップと、
前記媒体に論理的オーバーライトを行うステップと、
関連したボーダを閉じるとき、前記書込み／読出し部によって行われた論理的オーバーライトに関する情報を含む最後のボーダ情報を少なくとも一つの最後のボーダ情報領域に記録するステップと、を含み、
前記第１ボーダに対する最後のボーダ情報領域は、前記リードイン領域のボーダクロージング領域及び／または前記第１ボーダの前記ボーダアウト領域に提供され、
前記第１ボーダに連続するボーダに対する最後のボーダ情報領域は、前記第１ボーダに連続するボーダの前記ボーダイン領域及び／または前記第１ボーダに連続するボーダの前記ボーダアウト領域に提供されることを特徴とするコンピュータ判読可能媒体。
【発明の詳細な説明】
【技術分野】
【０００１】
本発明は、ディスク分野に係り、さらに具体的には、論理的オーバーライトによる管理情報を効率的に管理するための情報記録媒体、記録／再生装置及び記録／再生方法に関する。
【背景技術】
【０００２】
書換型情報記録媒体の場合、一般的に欠陥管理のためにデータ領域の一部にスペア領域を設ける。すなわち、ユーザデータ領域（データ領域でスペア領域を除外した領域）に／からユーザデータを記録／再生している途中で欠陥を発見すれば、その欠陥データを代替するための代替データをスペア領域に記録する。
【０００３】
また、追記型情報記録媒体の場合には、このような欠陥管理方法が論理的オーバーライト（Ｌｏｇｉｃａｌ  Ｏｖｅｒｗｒｉｔｅ：ＬＯＷ）に利用される。“ＬＯＷ”とは、追記型情報記録媒体に書換型されるように使用できるようにするための方法である。すなわち、ユーザデータ領域に既に記録されたデータを更新するために、あたかも、この記録されたデータが欠陥データのように取り扱い、この記録されたデータを代替するためのデータをユーザデータ領域の未記録領域に記録しておくことである。これにより、ユーザデータ領域に記録されたデータの論理的なアドレスを固定しつつ、この論理的なアドレスに対応する物理的なアドレスを、代替データの記録されたアドレスとすることにより、ホストの立場では、あたかもユーザデータ領域にあるデータが、その同じ位置で書換型のみが行われたように見えるようにできて、管理を容易にする。これは、ホストが論理的なアドレスにのみ関与するためである。
【０００４】
以下、ＬＯＷによる代替を、図面を参照して簡略に説明する。
【０００５】
図１は、従来の技術によるＬＯＷによる代替を説明するための参考図である。図１を参照するに、媒体上の物理的空間Ｐ１,Ｐ２,Ｐ３には、既にデータブロックＡ１,Ａ２,Ａ３の記録されている状態で、ホストがＡ１,Ａ２,Ａ３をＢ１,Ｂ２,Ｂ３に、ＬＯＷによってアップデートするために、原位置Ｐ１,Ｐ２,Ｐ３に記録命令を下せば、ドライブシステムは、ＬＯＷによる代替によって媒体上のユーザデータ領域内にあるＰ４,Ｐ５,Ｐ６にＢ１,Ｂ２,Ｂ３をアップデートし、その代替された状態を表すためにＰ１,Ｐ２,Ｐ３がＰ４,Ｐ５,Ｐ６に代替された状態を表す代替エントリーを生成して管理する。
【０００６】
今後、ホストがデータＢ１,Ｂ２,Ｂ３を読み取るために原位置に該当する論理アドレスに再生命令を下せば、ドライブシステムは、前記代替エントリーから媒体上のＰ４,Ｐ５,Ｐ６に記録されたデータを再生してホストに伝送する。
【０００７】
一方、従来のＤＶＤ−Ｒのような追記型情報記録媒体及びその装置は、データの記録のためにディスクのユーザデータ領域を一つまたは複数のＲゾーンに分け、それぞれのＲゾーンで連続的に記録可能なＤｉｓｃ  ａｔ  ｏｎｃｅ（Ｒゾーンが一つである場合）またはＳｅｑｕｅｎｔｉａｌ  Ｒｅｃｏｒｄｉｎｇ  ｍｏｄｅとしてディスクを使用した。
【０００８】
高密度化によって、１５Ｇから２５Ｇまでの高密度ディスクが登場している。このような高密度の追記型情報記録媒体には、記録可能容量の増加によって、従来のような順次記録モードでディスクを使用することだけでなく、ＬＯＷのような方法によって、あたかも書換型媒体のように使用しようとする試みが行われている。
【０００９】
ＤＶＤ−Ｒと同一か、または類似した追記型情報記録媒体に、このようにＬＯＷを具現することにより、ＬＯＷに関する情報を表す代替リスト（Ｒｅｐｌａｃｅｍｅｎｔ  Ｌｉｓｔ  ：ＲＰＬ）が必要となる。このようなＲＰＬを記録管理のための記録管理データ（Ｒｅｃｏｒｄｉｎｇ  Ｍａｎａｇｅｍｅｎｔ  Ｄａｔａ：ＲＭＤ）と共に円滑かつ効率的な媒体使用のための方向に管理されることが要求される。
【発明の開示】
【発明が解決しようとする課題】
【００１０】
本発明が解決しようとする課題は、前記のような問題点を解決して追記型媒体にＬＯＷを具現することによって、必要なＲＰＬと記録管理のためのＲＭＤ情報とを円滑かつ効率的な媒体使用のための方向に管理可能にする情報記録媒体、記録／再生装置及び記録／再生方法を提供することである。
【課題を解決するための手段】
【００１１】
前記課題を解決するための本発明の一つの特徴は、追記型情報記録媒体において、リードイン領域、少なくとも一つのボーダ、前記リードイン領域のボーダクロージング領域、第１ボーダ及び前記第１ボーダに連続するボーダのボーダアウト領域、前記第１ボーダに連続するボーダのボーダイン領域、関連したボーダを閉じる時に最後のボーダ情報を記録するために記録／再生装置によって利用される少なくとも一つの最後のボーダ情報領域であって、前記最後のボーダ情報領域は、前記媒体に前記記録／再生装置によって行われたＬＯＷに関する情報を含む最後のボーダ情報領域を備え、前記第１ボーダに対する最後のボーダ情報領域は、前記リードイン領域のボーダクロージング領域及び／または前記第１ボーダの前記ボーダアウト領域に提供され、前記第１ボーダに連続するボーダに対する最後のボーダ情報領域は、前記第１ボーダに連続するボーダの前記ボーダイン領域及び／または前記第１ボーダに連続するボーダの前記ボーダアウト領域に提供される。
【００１２】
前記第１ボーダに連続するボーダがない場合、前記媒体は、シングルボーダ媒体である。
【００１３】
前記第１ボーダに連続する少なくとも一つのボーダがある場合、前記媒体は、マルチボーダ媒体である。
【００１４】
前記最後のボーダ情報は、前記関連したボーダを閉じる時の最後のＲＭＤの少なくとも一つのコピー及び／または前記関連したボーダを閉じる時の最後のＲＰＬの少なくとも一つのコピーを含み、前記最後のＲＰＬは、前記関連したボーダを閉じるまで前記記録／再生装置によって行われたＬＯＷによるデータ代替に関する情報を含みうる。
【００１５】
前記最後のボーダ情報は、前記最後のＲＭＤの複数のコピー及び／または前記最後のＲＰＬの複数のコピーを含みうる。前記最後のＲＭＤは、前記最後のＲＰＬのコピーの位置情報を含みうる。前記最後のＲＰＬは、前記関連ボーダを閉じるまで前記媒体に前記記録／再生装置によって行われた欠陥データの代替に関する欠陥情報をさらに含みうる。
【００１６】
本発明の他の特徴は、リードイン領域を備える追記型情報記録媒体に／からデータを記録／再生する記録／再生装置において、前記媒体に／からデータを書込み／読出しする書込み／読出し部と、少なくとも一つのボーダ、前記リードイン領域のボーダクロージング領域、第１ボーダ及び前記第１ボーダに連続するボーダのボーダアウト領域、前記第１ボーダに連続するボーダのボーダイン領域をさらに備える前記媒体にデータを記録するように前記書込み／読出し部を制御し、前記媒体にＬＯＷを行うように前記書込み／読出し部を制御し、関連したボーダを閉じる時に前記書込み／読出し部によって行われたＬＯＷに関する情報を含む最後のボーダ情報を少なくとも一つの最後のボーダ情報領域に記録するように前記書込み／読出し部を制御する制御部と、を備え、前記第１ボーダに対する最後のボーダ情報領域は、前記リードイン領域のボーダクロージング領域及び／または前記第１ボーダの前記ボーダアウト領域に提供され、前記第１ボーダに連続するボーダに対する最後のボーダ情報領域は、前記第１ボーダに連続するボーダの前記ボーダイン領域及び／または前記第１ボーダに連続するボーダの前記ボーダアウト領域に提供されることである。
【００１７】
前記制御部は、前記最後のボーダ情報として、前記関連したボーダを閉じる時の最後のＲＭＤの少なくとも一つのコピー及び／または前記関連したボーダを閉じる時の最後のＲＰＬの少なくとも一つのコピーを記録するように前記書込み／読出し部をさらに制御し、前記最後のＲＰＬは、前記関連したボーダを閉じるまで前記記録／再生装置によって行われたＬＯＷによるデータ代替に関する情報を含みうる。
【００１８】
本発明のさらに他の特徴は、リードイン領域を備える追記型情報記録媒体に／からデータを記録／再生する記録／再生方法において、少なくとも一つのボーダ、前記リードイン領域のボーダクロージング領域、第１ボーダ及び前記第１ボーダに連続するボーダのボーダアウト領域、及び前記第１ボーダに連続するボーダのボーダイン領域をさらに備える前記媒体にデータを記録するステップと、前記媒体にＬＯＷを行うステップと、関連したボーダを閉じる時に前記書込み／読出し部によって行われたＬＯＷに関する情報を含む最後のボーダ情報を少なくとも一つの最後のボーダ情報領域に記録するステップと、を含み、前記第１ボーダに対する最後のボーダ情報領域は、前記リードイン領域のボーダクロージング領域及び／または前記第１ボーダの前記ボーダアウト領域に提供され、前記第１ボーダに連続するボーダに対する最後のボーダ情報領域は、前記第１ボーダに連続するボーダの前記ボーダイン領域及び／または前記第１ボーダに連続するボーダの前記ボーダアウト領域に提供されることである。
【００１９】
前記第１ボーダ及び前記第１ボーダに連続するボーダに関する前記最後のボーダ情報領域から前記最後のボーダ情報を読み取るステップと、前記読み取られた前記最後のボーダ情報を参照して、前記第１ボーダ及び前記第１ボーダに連続するボーダからデータを再生するステップと、をさらに含みうる。
【００２０】
本発明のさらに他の特徴は、リードイン領域を備える追記型情報記録媒体に／からデータを記録／再生するコンピュータによって行われる記録／再生方法を具現するための処理命令語でエンコーディングされたコンピュータ判読可能媒体において、前記方法は、少なくとも一つのボーダ、前記リードイン領域のボーダクロージング領域、第１ボーダ及び前記第１ボーダに連続するボーダのボーダアウト領域、及び前記第１ボーダに連続するボーダのボーダイン領域をさらに備える前記媒体にデータを記録するステップと、前記媒体にＬＯＷを行うステップと、関連したボーダを閉じる時に前記書込み／読出し部によって行われたＬＯＷに関する情報を含む最後のボーダ情報を少なくとも一つの最後のボーダ情報領域に記録するステップと、を含み、前記第１ボーダに対する最後のボーダ情報領域は、前記リードイン領域のボーダクロージング領域及び／または前記第１ボーダの前記ボーダアウト領域に提供され、前記第１ボーダに連続するボーダに対する最後のボーダ情報領域は、前記第１ボーダに連続するボーダの前記ボーダイン領域及び／または前記第１ボーダに連続するボーダの前記ボーダアウト領域に提供されることである。
【発明の効果】
【００２１】
本発明によれば、ＤＶＤ−Ｒと同一か、または類似した追記型情報記録媒体にＬＯＷを具現することによって発生するＲＰＬ及び記録管理のためのＲＭＤのような管理情報を円滑かつ効率的な媒体使用のための方向に管理して媒体使用の効率を向上させうる。
【発明を実施するための最良の形態】
【００２２】
以下、添付された図面を参照して本発明を詳細に説明する。
【００２３】
図２は、本発明による記録／再生装置の概略図である。図２を参照するに、本発明による記録／再生装置２００は、記録または再生の可能な装置であって、書込み／読出し部２２０及び制御部２１０を備える。制御部２１０は、ホスト２４０に連結される。書込み／読出し部２２０は、制御部２１０の制御によって、本発明による情報記録媒体のディスク４００に／からデータを記録／再生する。制御部２１０は、本発明によってデータを所定の記録単位ブロックに記録するように書込み／読出し部２２０を制御するか、または書込み／読出し部２２０によって読み取られたデータを処理して有効なデータを得る。
【００２４】
特に、本発明によって、制御部２１０は、追記型媒体であるディスク４００にＬＯＷを具現して、あたかも追記型媒体を書換型媒体のように追記型媒体に記録されたデータをアップデートしうる。
【００２５】
図３は、図２に示された記録／再生装置構成の細部的なブロック図である。図３を参照するに、ディスクドライブは、書込み／読出し部２２０であって、ピックアップを備える。ディスク４００は、ピックアップに装着されている。また、ディスクドライブは、制御部２１０であって、ホストＩ／Ｆ  ２１１、ＤＳＰ（Ｄｉｇｉｔａｌ  Ｓｉｇｎａｌ  Ｐｒｏｃｅｓｓｏｒ）２１２、ＲＦ  ＡＭＰ（Ｒｅａｄ  Ｆｒｅｑｕｅｎｃｙ  Ａｍｐｌｉｆｉｅｒ）２１３、サーボ２１４及びシステム制御器２１５を備える。
【００２６】
ホストＩ／Ｆ  ２１１は、ホスト２４０からデータ記録命令を受信し、これをシステム制御器２１５に伝送する。
【００２７】
システム制御器２１５は、前記ホストＩ／Ｆ  ２１１からデータ記録命令を受信し、データ記録のための初期化を行う。
【００２８】
システム制御器２１５は、特に、本発明によって、ＬＯＷによる代替に関する情報を表すＲＰＬを前記ディスク４００に設けられたユーザデータ領域、記録管理領域（Ｒｅｃｏｒｄｉｎｇ  Ｍａｎａｇｅｍｅｎｔ  Ａｒｅａ：ＲＭＡ）、前記媒体の記録可能な特定領域のうち少なくとも一つに記録するようにピックアップ２５０を制御し、また前記ＲＰＬの記録されるＲＰＬブロックのそれぞれについての位置情報を、前記ＲＭＡに記録されるＲＭＤに含めて記録するように前記ピックアップ２５０を制御する。
【００２９】
また、前記ディスクを一つ以上のボーダとして使用して各ボーダを閉じるとき、前記システム制御器２１５は、各ボーダが閉じられる時の最終的な情報をリードイン領域に設けられたボーダクロージング領域または前記ボーダのためのボーダゾーンのボーダイン領域または前記ボーダゾーンのボーダアウト領域のうち少なくとも一つに記録するようにピックアップ２５０をさらに制御する。前記最終的な情報は、前記ボーダを閉じる時点の最終的なＲＭＤまたは前記ＬＯＷによる代替に関する情報を有するＲＰＬのうち、最終的なＲＰＬのうち少なくとも一つのコピーを表すことが望ましい。
【００３０】
ＤＳＰ  ２１２は、ホストＩ／Ｆ
２１１から受けた記録するデータをエラー訂正のためにパリティなど付加データを添加し、ＥＣＣ（Ｅｒｒｏｒ  Ｃｏｒｒｅｃｔｉｎｇ  Ｃｏｄｅ）エンコーディングを行って、エラー訂正ブロックであるＥＣＣブロックを生成した後、それを既定の方式で変調する。ＲＦ  ＡＭＰ  ２１３は、ＤＳＰ  ２１２から出力されたデータをＲＦ信号に変える。ピックアップ２５０は、ＲＦ  ＡＭＰ  ２１３から出力されたＲＦ信号をディスク２３０に記録する。サーボ２１４は、システム制御器２１５からサーボ制御に必要な命令を入力されてピックアップ２５０をサーボ制御する。
【００３１】
再生時、ホストＩ／Ｆ  ２１１は、ホスト２４０から再生命令を受ける。システム制御器２１５は、再生に必要な初期化を行う。
【００３２】
本発明によって、システム制御器２１５は、ディスク４００の所定領域に記録されたＲＭＤを読み取るように書込み／読出し部２２０を制御する。このようなＲＭＤからＲＰＬブロックのそれぞれについての位置情報を獲得し、前記位置情報を参照して、前記ディスクに設けられたユーザデータ領域、ＲＭＡ、前記媒体の記録可能な特定領域のうち少なくとも一つからＲＰＬを読み取るようにピックアップ２５０を制御し、また、読み取られたＲＰＬを参照して、ディスク４００からデータを読み取るようにピックアップ２５０を制御する。
【００３３】
また、本発明によって、システム制御器２１５は、各ボーダに関する最終的な情報を前記媒体のリードイン領域に設けられたボーダクロージング領域または前記ボーダのためのボーダゾーンのボーダイン領域または前記ボーダゾーンのボーダアウト領域のうち少なくとも一つから読み取るようにピックアップ２５０を制御し、前記読み取られた最終的な情報を参照して、各ボーダに記録されたデータを再生するように制御する。
【００３４】
ピックアップ２５０は、ディスク４００に／からレーザビームを照射／受光して得られた光信号を出力する。ＲＦ  ＡＭＰ  ２１３は、ピックアップから出力された光信号をＲＦ信号に変え、ＲＦ信号から得られた変調されたデータをＤＳＰ  ２１２に提供する一方、ＲＦ信号から得られた制御のためのサーボ信号をサーボ２１４に提供する。ＤＳＰ  ２１２は、変調されたデータを復調し、ＥＣＣエラー訂正を経て得られたデータを出力する。
【００３５】
一方、サーボ２１４は、ＲＦ  ＡＭＰ  ２１３から受けたサーボ信号とシステム制御器２１５から受けたサーボ制御に必要な命令とを受けてピックアップに対するサーボ制御を行う。ホストＩ／Ｆ  ２１１は、ＤＳＰ  ２１２から受けたデータをホスト２４０に送る。
【００３６】
図４は、本発明によってＲＰＬが記録される媒体の領域を説明するための情報記録媒体の構造図を表す。図４を参照するに、本発明による情報記録媒体４００は、リードイン領域４１０、ユーザデータ領域４２０、リードアウト領域４３０が連続的に設けられる。
【００３７】
リードイン領域４１０には、ユーザデータ領域４２０に記録されるデータの管理のためのＲＭＤの記録されるＲＭＡが設けられる。
【００３８】
ユーザデータ領域４２０には、複数のＲゾーンに分けられて使われ、図４には、ＲＺＯＮＥ  ＃１  ４２１、ＲＺＯＮＥ  ＃２  ４２２、ＲＺＯＮＥ  ＃３  ４２３が設けられており、ＲＺＯＮＥ  ＃１  ４２１には、データが一部記録されて最後の記録されたアドレス（Ｌａｓｔ  Ｒｅｃｏｒｄｅｄ  Ａｄｄｒｅｓｓ：ＬＲＡ）が４２５と表示されている。ＲＺＯＮＥ  ＃２  ４２２にもデータが一部記録されてＬＲＡが４２６と表示されている。
【００３９】
そして、ユーザデータ領域４２０の一部空間をユーザデータを記録するための空間として使用せず、特定の目的のデータを記録するための領域に割り当てるが、図４を参照するに、４２４で表示された空間がかかる空間として使われる。しかし、領域４２４が必ずしもこれに限定される必要はない。
【００４０】
このような情報記録媒体の構造で、本発明によるＲＰＬは、ユーザデータ領域に記録される。図４には、ＲＺＯＮＥ  ＃２  ４２２の最後の記録アドレスの後にＲＰＬ  ４２７が記録されていることが示されている。ＲＰＬがユーザデータ領域に記録される場合、ＲＰＬ  ｅｎｔｒｉｅｓのアップデートによって、ＲＰＬがアップデートされるとき、Ｏｐｅｎ  ＲｚｏｎｅのＬＲＡまたはＬＲＡのうち最後のＬＲＡから記録されることが望ましい。しかし、オープンＲゾーンは、異なって記録されることもある。
【００４１】
また、本発明によるＲＰＬは、リードイン領域４１０に設けられたＲＭＡ  ４１１にＲＭＤのＲＭＤフィールドとして記録されることもある。また、図４に示された例としては、ＲＭＡがリードイン領域に設けられると示されているが、ＲＭＡは、リードイン領域以外に設けられることもある。例えば、ＤＶＤ−ＲのようなディスクでＲＭＡは、リードイン領域の外側に設けられたＲ情報領域という所に設けられる。
【００４２】
また、本発明によるＲＰＬは、このＲＰＬ記録のみのための特定の領域に記録されることもある。図４に示したように、ユーザデータ領域４２０の一部をこのようなＲＰＬを記録するための空間４２４に割り当て、ユーザデータ記録には利用せず、ＲＰＬのみを記録するのに利用しうる。しかし、ＲＰＬは、本発明の他の例で、他の領域に記録されることもある。
【００４３】
図５Ａは、本発明によるＲＰＬフォーマットの一例を示す。図５Ａを参照するに、ＲＰＬフォーマット５００は、ＲＰＬヘッダ５１０とＲＰＬエントリー５２０とに大別される。ＲＰＬヘッダ５１０は、ＲＰＬに関する一般的な情報を含んでおり、ＲＰＬエントリー５２０の各ＲＰＬエントリーは、それぞれのＬＯＷによる代替情報を含んでいる。
【００４４】
ＲＰＬヘッダ５１０は、ＰＲＬであることを表すためのＲＰＬ識別子５１１とＲＰＬエントリーの数５１２とを含む。
【００４５】
ＲＰＬエントリー５２０は、第１  ＲＰＬエントリー５２１、第２  ＲＰＬエントリー５２２，．．．最後のＲＰＬエントリー５２３を含み、残りの空間５２４には、００ｈで充填される。
【００４６】
図５Ｂは、図５Ａに示されたＲＰＬエントリーの一例を示す。
【００４７】
図５Ｂを参照するに、ＲＰＬエントリー５３０は、ＬＯＷによって代替される前のオリジナルデータの位置情報５３１と代替データの位置情報５３２とを含む。ＲＰＬエントリーは、このような情報以外に追加的に、連続的に代替された代替単位の個数情報または代替単位についての情報フィールド（一例えば、代替単位がセクターか、またはブロックか）をさらに含むことが望ましい。ドライブシステムは、前記かかるＲＰＬエントリーからＬＯＷによって代替されたセクターまたはブロックを再生しうる。
【００４８】
ＲＰＬのサイズは、既定の最大サイズ（セクターの倍数）下で一つまたは複数のセクターサイズを有する。すなわち、ＲＰＬ  ｅｎｔｒｉｅｓの数によって、そのサイズが変わるということを意味する。もし、ＲＰＬのサイズをブロック（例えば、ブロックは、１６セクターまたは３２セクターで構成される）の倍数に限定する場合、最大サイズが３個の記録／再生ブロックとすれば、ＲＰＬの可能なサイズは、１ブロック、２ブロック、３ブロックであり、ＲＰＬのサイズをセクター（例えば、２０４８ｂｙｔｅｓ）の倍数に限定する場合、ＲＰＬの可能なサイズは、１セクターから３ブロックまでセクターの倍数であれば、何れも可能である。このように、そのサイズを固定せず、可変的なサイズを使用することは、追記型情報記録媒体の特徴上情報のアップデート時に新たな領域が必要であるので、不要な領域の減少を防止するために必要な情報のみを記録することが望ましいためである。
【００４９】
図５Ｃは、本発明によるＲＰＬブロック単位のサイズを有し、ＲＰＬが２個のブロックで構成された場合、図５Ａに示されたＲＰＬフォーマットによる例を示す。図５Ｃを参照するに、ＲＰＬ  ５４０は、第１  ＲＰＬブロック５５０と第２  ＲＰＬブロック５６０とで構成される。第１  ＲＰＬブロック５５０は、ＲＰＬヘッダ５５１、第１  ＲＰＬエントリー５５２、第２  ＲＰＬエントリー５５３，．．．，第Ｎ−１  ＲＰＬエントリー５５４を備え、第２  ＲＰＬブロック５６０は、第Ｎ  ＲＰＬエントリー５６１を備え、残りの未記録領域５６２は、“００ｈ”で充填される。
【００５０】
もし、このような状態のＲＰＬで第Ｎ＋１  ＲＰＬエントリーがもう一つ追加されれば、第Ｎ  ＲＰＬエントリー５６１の次の位置に第Ｎ＋１  ＲＰＬエントリーがさらに追加記録されたＲＰＬ、すなわち、第１  ＲＰＬブロックと第２  ＲＰＬブロックとがＲＰＬを記録可能な領域に新たに記録される。
【００５１】
図６Ａは、本発明によるＲＰＬフォーマットの他の例を示す。図６Ａを参照するに、ＲＰＬフォーマット６００は、ＲＰＬヘッダ６１０とＲＰＬエントリー６２０とに大別される。ＲＰＬヘッダ６１０は、ＲＰＬに関する一般的な情報を含んでおり、ＲＰＬエントリー６２０の各ＲＰＬエントリーは、それぞれのＬＯＷによる代替情報を含んでいる。
【００５２】
ＲＰＬヘッダ６１０は、ＰＲＬであることを表すためのＲＰＬ識別子６１１と、ＲＰＬブロック順序６１２と、ＲＰＬエントリーの個数６１３とを含む。ＲＰＬブロック順序６１２は、文字通りＲＰＬブロックの順序を表し、例えば、ＲＰＬが全体３個のブロックで形成されれば、各ＲＰＬブロックごとにＲＰＬヘッダ情報を含むためのものである。
【００５３】
ＲＰＬエントリー６２０は、第１  ＲＰＬエントリー６２１、第２  ＲＰＬエントリー６２２，．．．最後のＲＰＬエントリー６２３を含み、残りの空間６２４には、００ｈで充填される。
【００５４】
ＲＰＬのサイズは、図５Ａに示された一例と同様に既定の最大サイズ（セクターの倍数）下で一つまたは複数のセクターサイズを有しうる。すなわち、ＲＰＬ  ｅｎｔｒｉｅｓの数によって、そのサイズが変わるということを意味する。もし、最大サイズが３個の記録／再生ブロックといえば、ＲＰＬのサイズをブロック（例えば、１６セクターまたは３２セクター）の倍数に限定する場合は、ＲＰＬの可能なサイズは、１ブロック、２ブロック、３ブロックであり、ＲＰＬのサイズをセクター（例えば、２０４８ｂｙｔｅｓ）の倍数に限定する場合、ＲＰＬの可能なサイズは、１セクターから３ブロックまでセクターの倍数であれば、何れも可能である。このように、そのサイズを固定せず、可変的なサイズを使用することは、追記型情報記録媒体の特徴上、情報のアップデート時に新たな領域が必要であるので、不要な領域の減少を防止するために、必要な情報のみを記録することが望ましいためである。
【００５５】
また、図６Ａに示したＲＰＬ  ｆｏｒｍａｔは、図５Ａに示したＲＰＬ  ｆｏｒｍａｔと異なり、それぞれのブロックに対するＲＰＬ  ｆｏｒｍａｔを表す。結局、それぞれのＲＰＬブロックは、ＲＰＬ識別子、ＲＰＬエントリーの個数情報を含む一つのＲＰＬヘッダ情報を含む。例えば、全体ＲＰＬが３個の記録／再生ブロックに分けられて記録されるとすれば、それぞれの記録／再生ブロックでＲＰＬのための第１セクターは、前記ＲＰＬヘッダ情報を含む。もちろん、前記ＲＰＬエントリーは、前記ＲＰＬヘッダに続いで保存される。
【００５６】
図６Ｂは、本発明によるＲＰＬブロック単位のサイズを有し、ＲＰＬが２個のブロックで構成された場合、図６Ａに示されたＲＰＬフォーマットによる例を表す。図６Ｂを参照するに、ＲＰＬ  ６３０は、第１  ＲＰＬブロック６４０と第２  ＲＰＬブロック６５０とで構成される。第１  ＲＰＬブロック６４０は、ＲＰＬヘッダ６４１、第１  ＲＰＬエントリー６４２、第２  ＲＰＬエントリー６４３，．．．，第Ｎ−１  ＲＰＬエントリー６４４を備え、第２
ＲＰＬブロック６５０は、ＲＰＬヘッダ６５１、第Ｎ  ＲＰＬエントリー６５２を備え、残りの未記録領域６５３は、“００ｈ”で充填される。第１  ＲＰＬブロック６４０のＲＰＬヘッダ６４１は、ＲＰＬブロック順序６４５として“１”が記録されており、第２  ＲＰＬブロック６５０のＲＰＬヘッダ６５１は、ＲＰＬブロック順序６５４として“２”が記録されている。
【００５７】
図６Ｂに示した例は、各ＲＰＬブロックごとにＲＰＬヘッダを記録しておくので、それほどＲＰＬエントリーを記録する空間が小さくなるが、毎ＲＰＬブロックごとにＲＰＬヘッダ情報が含まれるので、ＲＰＬヘッダ情報の信頼性を向上させうる。
【００５８】
図７は、本発明によってＲＰＬをユーザデータ領域の最後の開けたＲゾーンのＬＲＡから記録する例を説明するための情報記録媒体の構造図を示す。図７を参照するに、情報記録媒体７００は、リードイン領域７１０、ユーザデータ領域７２０、リードアウト領域７３０が連続的に設けられる。リードイン領域７１０には、ＲＭＡ  ７１１が設けられ、ユーザデータ領域７２０には、ＲＺＯＮＥ  ＃１  ７２１、ＲＺＯＮＥ  ＃２  ７２２、ＲＺＯＮＥ  ＃３  ７２３が設けられている。
【００５９】
ＲＰＬのアップデート前には、ユーザデータ領域のＲｚｏｎｅ  ＃２  ７２２の最後の記録領域には、２個のＲＰＬブロック７２５が記録されており、リードイン領域のＲＭＡ  ７１１には、ＲＭＤ  ７１２が記録されており、最後の記録領域には、最終的なＲＭＤ  ７１３を表す。もちろん、ＲＭＤは、本発明によって記録された２個のＲＰＬブロックについての位置情報を有している。
【００６０】
この状態で、Ｒｚｏｎｅ  ＃３  ７２３にデータ７２７が追加され、また、Ｒｚｏｎｅ  ＃２  ７２２でその前に記録された領域にＬＯＷを行えよというホストの命令によって、ドライブシステムは、Ｒｚｏｎｅ  ＃２の次の記録可能領域７２８に代替データを記録した。このようなＬＯＷを含むデータの追加によってＲＰＬのアップデートが要求され、ドライブシステムは、これをアップデートするために本発明によってＯｐｅｎ  ＲｚｏｎｅのＬＲＡのうち最後のＬＲＡのＲｚｏｎｅ  ＃３  ７２３のＬＲＡから３個のＲＰＬブロック７２９を記録し、このようなアップデートされたＲＰＬの記録によってＲＰＬブロックの位置情報が変わり、また、Ｒゾーンの状態が変化することによって、これを反映するためにＲＭＡ  ７１１の次の記録領域にＵｐｄａｔｅｄ  ＲＭＤ  ７１４を記録する。このとき、Ｕｐｄａｔｅｄ  ＲＭＤ  ７１４は、Ｕｐｄａｔｅｄ  ＲＰＬのための位置情報として３個のＲＰＬブロックのためのそれぞれの位置情報を含む。
【００６１】
もし、ＲＰＬをＲＭＤ内に記録する場合、ＲＭＤ  ｆｏｒｍａｔのための情報のための領域以外に、残りの空間を活用してＲＰＬを記録することが望ましい。この場合、もし、ＲＭＤ内の空間が足りないので、ＲＰＬをＲＭＤ内に記録して残ったＲＰＬ部分は、他の記録／再生単位ブロックとしてユーザデータ領域に記録することが望ましい。
【００６２】
ＲＰＬをアップデートするための記録可能な別途の領域を設ける場合、このような別途の領域は、リードイン領域またはリードアウト領域にも設けられる。もし、リードインまたはリードアウトに設けた空間が足りない場合、データ領域の一部を初期化時点にＲＰＬのための領域に割り当てて使用することも可能である。前記ＲＰＬを記録するための領域は、物理アドレスの増加順に、または減少順に連続的に使用することが望ましい。また、ＲＰＬをどこに記録しても、ユーザデータ領域、ＲＭＡ、または別途の領域に何れもアップデートされたＲＰＬが記録された位置を知るためにＲＰＬの位置情報をＲＭＤ内に設けることが望ましい。
【００６３】
図８は、本発明によるＲＭＤフォーマットの一例であって、ＲＰＬが最大Ｎ個のブロック内で記録されることが可能である場合において、ＲＭＤ  ｆｏｒｍａｔ内のＲＰＬ位置情報を表すための図である。ＲＭＤは、ディスクの全般的な管理のための情報であって、記録モードに関する情報、記録／再生と関連した情報、ＬＯＷに関連した情報、欠陥処理に関する情報を含む。
【００６４】
図８を参照するに、ＲＭＤフォーマット８００は、データの記録管理のための一般情報のためのＲＭＤフィールド８１０と、ユーザデータ領域に設けられるＲゾーンのそれぞれの個別的な情報に関するＲＺＯＮＥ情報のためのＲＭＤフィールド８２０とを備える。
【００６５】
一般情報のためのＲＭＤフィールド８１０は、ＲＰＬブロックの個数８１１、第１  ＲＰＬブロックの位置情報８１２、第２  ＲＰＬブロックの位置情報８１３，．．．，第Ｎ
ＲＰＬブロックの位置情報８１４を含む。
【００６６】
ＲＰＬブロックの個数８１１は、実際に最終的なＲＰＬが記録されているブロックの数を表す。例えば、二つのブロック内のＲＰＬが記録されているならば、このフィールドは、“２”に設定される。
【００６７】
第１  ＲＰＬブロックの位置情報８１２は、ＲＰＬが含まれた第１ブロックについての位置情報であって、そのブロック内のＲＰＬの記録された第１セクターの物理アドレスを表す。ＲＰＬがＲＭＤ内に記録される場合のように、そのブロックの第１セクターでなく、中間セクターから記録されることもあるため、ＲＰＬの記録された第１セクターの物理アドレスとして表す。もし、ＲＰＬ  ｆｏｒｍａｔが図６Ａに示されたように構成され、そのＲＰＬ  ｆｏｒｍａｔが“ＲＰＬブロック順序”フィールドを備える場合、前記物理アドレスが指すセクター内にＲＰＬヘッダが存在し、ＲＰＬヘッダ情報内の“ＲＰＬブロック順序”は、１を指している。同じ方法によって、第２  ＲＰＬブロックの位置情報８１３，．．．，第Ｎ  ＲＰＬブロックの位置情報８１４が表される。
【００６８】
もし、ＲＰＬが記録されていない情報フィールドについては、００ｈと同値に設定される。図８に示したＲＭＤ  ｆｏｒｍａｔは、“ＲＰＬブロックの個数”フィールドを含んでいないこともある。しかし、“ＲＰＬブロックの個数”を含む場合には、実際に記録されたＲＰＬを含むブロックの個数と、“ＲＰＬブロックの個数”フィールドに設定された値及び、記録されているＲＰＬを含むブロックの位置情報のためのフィールドの数は同じでなければならない。例えば、実際ＲＰＬを含む記録されたブロックが３個とすれば、“ＲＰＬブロックの個数”フィールドは、“３”に設定され、Ｎ個のＲＰＬブロック位置情報のうち、第１、第２、第３のための位置情報を除外した残りの情報は、００ｈに設定される。
【００６９】
このように、ＲＰＬを含むブロックについての位置情報をＲＭＤに管理することによって、ディスクがドライブシステムにローディングされたとき、ＲＭＤを読み取ってＲＰＬの位置情報を速く探せる。すなわち、ＲＭＤは、Ｒｚｏｎｅ情報を含み、また、記録モードのように記録／再生関連情報を含んでいるため、ドライブシステムが最初にアクセスせねばならないため、ＲＰＬの位置情報をＲＭＤ内に管理することによってＲＰＬがさらに速く得られ、また、それぞれのＲＰＬブロックについての位置情報を管理することによって、ＲＰＬエントリーのアップデートによってＲＰＬをアップデートするとき、数個のブロックのうちアップデートの必要なブロックのみをアップデートできるので、ＲＰＬアップデートのための領域を効率的に使用しうる。
【００７０】
図９は、本発明による記録方法の過程を示すフローチャートである。図９を参照するに、まず、ドライブは、ＬＯＷによってオリジナルデータを代替する代替データをディスクのユーザデータ領域に記録する（９１０）。
【００７１】
次いで、ドライブは、ＬＯＷによる代替に関する情報を表すＲＰＬを生成する（９２０）。ＲＰＬは、ＬＯＷによって代替される前のオリジナルデータの位置情報と、代替された後の代替データの位置情報とを含む。
【００７２】
そして、ドライブは、ＲＰＬをディスクに設けられたユーザデータ領域、ＲＭＡ、ディスクの記録可能な特定領域のうち少なくとも一つに記録する（９３０）。
【００７３】
次いで、ＲＰＬの記録された位置に関する情報をＲＭＤに含めて、ディスクのリードイン領域に設けられたＲＭＡに記録する（９４０）。
【００７４】
図１０は、本発明による再生方法の過程を示すフローチャートである。図１０を参照するに、ドライブは、ディスクに設けられたＲＭＡからＲＭＤを読み取る（１０１０）。
【００７５】
そして、ドライブは、読み取られたＲＭＤからＲＰＬブロックのそれぞれについての位置情報を獲得する（１０２０）。
【００７６】
次いで、ＲＰＬブロックのそれぞれについての位置情報を参照して、前記ディスクに設けられたユーザデータ領域、ＲＭＡ、前記ディスクの記録可能な特定領域のうち少なくとも一つからＲＰＬを読み取る（１０３０）。
【００７７】
次いで、ドライブは、読み取られたＲＰＬを参照してディスクに／からデータを書込み／読出しする（１０４０）。ＲＰＬには、ＬＯＷによる代替によってオリジナルデータの位置情報と代替データの位置情報とを有しているので、もし、ホストからオリジナルデータの再生命令を受信した場合に、ドライブは、このようなＲＰＬからオリジナルデータの代替された代替データの位置が分かるので、このような代替データの位置から代替データを再生しうる。
【００７８】
前述したように、ＬＯＷによるディスクを使用するボーダを閉じようとする場合、閉じるボーダに関する最終的な情報をディスクの所定領域に記録して置かなければならない。
【００７９】
本発明によって、ディスクの第１ボーダを閉じようとするとき、ディスクのリードイン領域に設けられたボーダクロージング領域にボーダを閉じた時の最終的なＲＭＤと最終的なＲＰＬとを記録する。また、Ｒｏｂｕｓｔｎｅｓｓのために、前記最終的なＲＭＤと最終的なＲＰＬとは、複数回反復して記録されることが望ましい。もし、ＤＶＤ−Ｒのようにボーダゾーンを設ける場合においては、第１ボーダを閉じようとする場合、前記のようにリードイン領域に設けられたボーダクロージング領域に最終的なＲＭＤと最終的なＲＰＬとを記録し、また、ボーダゾーンのボーダアウト領域にも最終的なＲＭＤと最終的なＲＰＬとを記録しうる。ボーダアウト領域においても、Ｒｏｂｕｓｔｎｅｓｓのために最終的なＲＭＤと最終的なＲＰＬとを複数回以上記録することが望ましい。
【００８０】
もし、ディスクがマルチボーダとして使われる場合には、第２またはそれ以後からのボーダを閉じようとするとき、最終的なＲＭＤと最終的なＲＰＬとは、閉じられるボーダの領域またはボーダアウト領域に記録することが望ましい。すなわち、第２またはそれ以後のボーダを閉じようとする場合、以前ボーダによって生成された現在ボーダのボーダインと現在ボーダのボーダアウトとにボーダクロージングに関係された情報を記録するために可能である。また、Ｒｏｂｕｓｔｎｅｓｓのために最終的なＲＭＤと最終的なＲＰＬとは、複数回以上記録することが望ましい。
【００８１】
このように、ボーダクロージング時に最終的なＲＭＤと最終的なＲＰＬとを一定の領域に記録して置くことによって、閉じたボーダについての最終的なＲＭＤ及びＲＰＬを速く接近でき、また、かかる情報が複数回記録されることによって堅固性が向上しうる。
【００８２】
図１１は、本発明によって、ディスクの第１ボーダクロージング時、ボーダに関する最終的な情報を記録するための領域を説明するための参考図である。図１１を参照するに、ディスク１１００は、リードイン領域１１１０、ユーザデータ領域１１２０、リードアウト領域１１３０が連続的に設けられ、リードイン領域１１１０には、ＲＭＡ  １１４０とボーダクロージング領域１１５０とが設けられている。ユーザデータ領域１１２０を一つのボーダとしてデータを記録していて、データ８２１の記録を終了し、ボーダを閉じる時にこのボーダに関する最終的な情報を表す最終ＲＭＤと最終ＲＰＬとは、リードイン領域１１１０のボーダクロージング領域１１５０に記録される。ボーダクロージング領域１５０に記録される最終的な情報は、最終ＲＭＤの第１コピー１１５１、最終ＲＭＤの第２コピー１１５２，．．．最終ＲＭＤの第Ｎコピー１１５３、最終ＲＰＬの第１コピー１１５４、最終ＲＰＬの第２コピー１１５５，．．．最終ＲＰＬの第Ｍコピー１１５６を含む。また、ＤＶＤ−Ｒのような構造である場合には、ボーダアウト１１２２にもこのような最終的な情報が記録される。
【００８３】
図１１に示したように、最終的なＲＭＤと最終的なＲＰＬとがボーダクロージング領域に記録される時にも、ＲＭＤは、ＲＰＬのそれぞれのブロックが記録された位置情報を表す。このために、ボーダクロージング領域には、まずＲＰＬが記録された以後にＲＭＤが記録されることが望ましい。また、ＲＰＬの位置情報を表す一つの方法としては、最終ＲＰＬの第１コピーに該当するそれぞれのＲＰＬ
ｂｌｏｃｋの位置情報をＲＭＤが指していることが望ましい。
【００８４】
また、ボーダクロージング領域８５０は、ボーダクロージングのための情報のみを保存するための空間に限定されるものではなく、ボーダクロージング前には、ＲＭＤを保存するための領域として使用される。すなわち、ボーダクロージング前には、ＲＭＤを記録するための領域として使用し、ボーダクロージング時に最終的なＲＭＤと最終的なＲＰＬとを記録することも可能である。また、場合によっては、最終的なＲＭＤのみを記録し、最終的なＲＰＬは、ＲＰＬの記録のための空間にそのまま記録された状態に置くことも可能である。これは、いずれにしても最終的なＲＭＤがＲＰＬ位置情報を有しているため、最終的なＲＰＬがいかなる領域に記録されても、最終的なＲＭＤを利用して最終的なＲＰＬを探すことは問題がないためである。すなわち、本発明は、ボーダクロージング時に最終的なＲＰＬが、必ずしも最終的なＲＭＤと同じ領域に記録されるとは限定されない。
【００８５】
図１２は、本発明によってディスクの第２ボーダ以後のボーダクロージング時に、ボーダに関する最終的な情報を記録するための領域を説明するための参考図である。図１２を参照するに、ディスク１２００は、リードイン領域１２１０、ユーザデータ領域１２２０、リードアウト領域１２３０が連続的に設けられ、ユーザデータ領域１２２０には、二つのボーダが閉じていることが表示されている。第１ボーダ１２４０は、ボーダされた領域１２４１とボーダアウト１２４２で構成され、第２ボーダ１２５０は、現在ボーダイン１２５１、ボーダされた領域１２５２、現在ボーダアウト１２５３で構成される。ディスク１２００の各ボーダされた領域は、以前ボーダされた領域のボーダアウトと、続くボーダされた領域のボーダインとを備える。
【００８６】
第２ボーダが閉じられるとき、第２ボーダに関する最終的な情報は、図１２に示したように、第２ボーダの現在ボーダイン１２５１または第２ボーダの現在ボーダアウト１２５３に記録される。第１ボーダと同様に、最終ＲＭＤと最終ＲＰＬとが複数回以上反復して記録される。図１２には、現在ボーダイン１２５１と現在ボーダアウト１２５３とに記録される最終的な情報は、最終ＲＭＤの第１コピー１１２６１、最終ＲＭＤの第２コピー１２６２，．．．，最終ＲＭＤの第Ｎコピー１２６３、最終ＲＰＬの第１コピー１２６４、最終ＲＰＬの第２コピー１２６５，．．．，最終ＲＰＬの第Ｍコピー１２６６を含む。
【００８７】
図１３は、本発明によってボーダに関する最終的な情報を記録する方法を示すフローチャートである。
【００８８】
ディスクの第１ボーダをクロージングしようとする場合には、ディスクのリードイン領域に設けられたボーダクロージング領域及び第１ボーダのボーダアウト領域のうち少なくとも一つ以上に最終ＲＭＤと最終ＲＰＬとを１回以上記録する（１３１０）。このとき、最終ＲＰＬは、他の領域に記録することも可能である。また、前記リードイン領域のボーダクロージング領域は、リードイン領域に設けられたＲＭＡの一部となることもある。
【００８９】
ディスクの第２ボーダからは、最終ＲＭＤと最終ＲＰＬとを、クロージングされるボーダのボーダインまたはボーダアウトに１回以上記録する（１３２０）。
【００９０】
もちろん、ディスクが一つのボーダとして使われる場合には、ステップ１３１０のみが利用される。
【００９１】
図１４は、本発明によってボーダに関する最終的な情報を参照してデータを再生する方法を示すフローチャートである。
【００９２】
ディスクの第１ボーダに関する最終ＲＭＤと最終ＲＰＬとは、ディスクのリードイン領域に設けられたボーダクロージング領域及び第１ボーダのボーダアウト領域のうち少なくとも一つ以上から読み取る（１４１０）。ここで、最終ＲＰＬは、ボーダクロージング領域やボーダアウト領域以外の領域から読み取られる。最終ＲＭＤと最終ＲＰＬとが同じ領域に記録されていなくても、最終ＲＭＤは、最終ＲＰＬに関する位置情報を有しているため、かかる最終ＲＰＬに関する位置情報から最終ＲＰＬを読み取れる。
【００９３】
ディスクの第２ボーダからは、最終ＲＭＤと最終ＲＰＬとをクロージングされるボーダのボーダインまたはボーダアウト領域から読み取る（１４２０）。もし、ディスクに一つのボーダのみがある場合には、ステップ１４２０は、利用されないであろう。
【００９４】
このように読み取られた最終ＲＭＤと最終ＲＰＬとを参照して、各ボーダに記録されたデータを再生する（１４３０）。最終ＲＭＤには、該ボーダに関する記録に関連したまたは欠陥に関連した一般的な情報が入っており、最終ＲＰＬには、ＬＯＷによる代替に関する情報が入っているため、ドライブは、該ボーダに記録されたデータを再生するために、このような最終ＲＭＤと最終ＲＰＬとを参照する。
【００９５】
以上の説明においては、本発明による情報記録媒体にＬＯＷによる代替がなされると主に記述されたが、本発明は、それに限定されず、ＬＯＷによる代替と共に欠陥処理による代替も行われる。したがって、前記実施形態の説明にあるＲＰＬは、ＬＯＷによる代替情報を有するＲＰＬだけでなく、欠陥処理による代替情報を有するＲＰＬも含みうる。
【００９６】
前述したような記録または再生方法は、また、コンピュータで読み取り可能な記録媒体にコンピュータ可読コードとして具現することが可能である。コンピュータで読み取り可能な記録媒体は、コンピュータシステムによって読み取られるデータが保存される全ての種類の記録装置を含む。コンピュータで読み取り可能な記録媒体の例としては、ＲＯＭ、ＲＡＭ、ＣＤ−ＲＯＭ、磁気テープ、フロッピー（登録商標）ディスク、光データ保存装置があり、また、キャリアウェーブ（例えば、インターネットを通じた伝送）状に具現されるものも含む。また、コンピュータで読み取り可能な記録媒体は、ネットワークに連結されたコンピュータシステムに分散され、分散方式でコンピュータ可読コードが保存され、かつ実行される。そして、前記記録または再生方法を具現するための機能的なプログラム、コード及びコードセグメントは、本発明が属する技術分野のプログラマーによって容易に推論される。
【００９７】
以上、本発明についてその望ましい実施形態を中心に説明した。当業者は、本発明が本発明の本質的な特性から逸脱しない範囲で変形された形態で具現されるということが分かるであろう。したがって、開示された実施形態は、限定的な観点でなく、説明的な観点で考慮されねばならない。本発明の範囲は、前述した説明でなく、特許請求の範囲に現れており、それと同等な範囲内にある全ての差異点は、本発明に含まれていると解釈されねばならない。
【産業上の利用可能性】
【００９８】
本発明は、ＬＯＷによる管理情報を効率的に管理するための情報記録媒体、記録／再生装置及び記録／再生方法に適用可能である
【図面の簡単な説明】
【００９９】
【図１】従来の技術によるＬＯＷによる代替を説明するための参考図である。
【図２】本発明による記録／再生装置の概略図である。
【図３】図２に示された記録／再生装置の細部的なブロック図である。
【図４】本発明によってＲＰＬが記録される媒体の領域を説明するための情報記録媒体の構造図である。
【図５Ａ】本発明によるＲＰＬフォーマットの一例を示す図である。
【図５Ｂ】図５Ａに示されたＲＰＬエントリーの一例を示す図である。
【図５Ｃ】本発明によるＲＰＬが２個のブロックで構成された場合、図５Ａに示されたＲＰＬフォーマットによる例を示す図である。
【図６Ａ】本発明によるＲＰＬフォーマットの他の例を示す図である。
【図６Ｂ】本発明によるＲＰＬが２個のブロックで構成された場合、図６Ａに示されたＲＰＬフォーマットによる例を示す図である。
【図７】本発明によってＲＰＬを最後の開けたＲゾーンのＬＲＡから記録する例を説明するための情報記録媒体の構造図である。
【図８】本発明によるＲＭＤフォーマットの一例を示す図である。
【図９】本発明による記録方法の一例を示すフローチャートである。
【図１０】本発明による再生方法の一例を示すフローチャートである。
【図１１】本発明によってディスクの第１ボーダクロージング時にボーダに関する最終的な情報を記録するための領域を説明するための参考図である。
【図１２】本発明によってディスクの第２ボーダ以後のボーダクロージング時にボーダに関する最終的な情報を記録するための領域を説明するための参考図である。
【図１３】本発明によってボーダに関する最終的な情報を記録する方法を示すフローチャートである。
【図１４】本発明によってボーダに関する最終的な情報を参照してデータを再生する方法を示すフローチャートである。
【図１】
2008533646.tif 000003
【図２】
2008533646.tif 000004
【図３】
2008533646.tif 000005
【図４】
2008533646.tif 000006
【図５Ａ】
2008533646.tif 000007
【図５Ｂ】
2008533646.tif 000008
【図５Ｃ】
2008533646.tif 000009
【図６Ａ】
2008533646.tif 000010
【図６Ｂ】
2008533646.tif 000011
【図７】
2008533646.tif 000012
【図８】
2008533646.tif 000013
【図９】
2008533646.tif 000014
【図１０】
2008533646.tif 000015
【図１１】
2008533646.tif 000016
【図１２】
2008533646.tif 000017
【図１３】
2008533646.tif 000018
【図１４】
2008533646.tif 000019
【国際調査報告】
2008533646.tif 000020
2008533646.tif 000021